(57)【特許請求の範囲】
【請求項１】
運転実績データおよびトレンドデータを取り込むデータ取得手段と、
このデータ取得手段によって取得される運転実績データおよびトレンドデータから所定時間先の積算値を求めるとともに、当該所定時間よりも短い刻み時刻の時点で前記トレンドデータの１つであるポンプ井水位と基準水位との大小関係からポンプの稼動・停止支援を推定する運転支援手段と、
この運転支援手段によってポンプの稼動・停止の支援推定を受けたとき、前記所定時間先の前記トレンドデータであるポンプ井流入量積算値と前記運転実績データである各ポンプの吐出量積算値との大小関係から支援の適否を判断し、支援適正と判断された場合、前記稼動・停止の支援結果のトレンドデータを再算出するトレンドデータ再算出手段と、
このトレンドデータ再算出手段によって再算出されるトレンドデータおよび前記稼動・停止の支援結果に基づいてポンプの稼動・停止制御を実施するポンプ制御手段とを備えたことを特徴とするポンプ運転支援装置。
【請求項２】
運転支援手段は、前記運転実績データである各ポンプの吐出量積算値と前記トレンドデータであるポンプ井流入量積算値を算出する積算値算出手段と、前記トレンドデータであるポンプ井水位と基準水位との大小関係を判断する両水位判断手段と、この両水位判断手段の判断結果から前記ポンプ井水位が基準水位の基準上位を越えるか、または基準下位を下回るとき、ポンプの稼動・停止支援を推定する支援推定判断手段とを設けたことを特徴とする請求項１に記載のポンプ運転支援装置。
【請求項３】
支援推定判断手段は、前記ポンプ井水位が基準水位の基準上位を越えたとき、所定時間先のポンプ井流入量積算値と各ポンプの吐出量積算値を算出し、当該流入量積算値が吐出量積算値よりも大きいときポンプ稼動支援と推定する第1の支援推定手段と、前記ポンプ井水位が基準水位の基準下位を下回ったとき、所定時間先のポンプ井流入量積算値と各ポンプの吐出量積算値を算出し、当該流入量積算値が吐出量積算値よりも小さいときポンプ停止支援と推定する第２の支援推定手段とを設けたことを特徴とする請求項２に記載のポンプ運転支援装置。
【請求項４】
支援推定手段は、吐出量の大きい順にポンプを選択する吐出量昇順ポンプ選択手段と、この選択されたポンプを含む稼動中のポンプの吐出量合計値とポンプ井流入量とに基づき、ポンプ井流入量＜吐出量合計量またはポンプ井流入量＞吐出量合計値となるまで対象ポンプの交換を行う最適流量交換手段とを設けたことを特徴とする請求項３に記載のポンプ運転支援装置。
【請求項５】
支援推定手段は、吐出量の大きい順にポンプを選択する吐出量昇順ポンプ選択手段と、この選択されたポンプを含む稼動中のポンプの吐出量合計値とポンプ井流入量とに基づき、ポンプ井流入量＜吐出量合計値またはポンプ井流入量＞吐出量合計値となるまで対象ポンプの交換を行う最適流量交換手段と、この最適流量交換手段によるポンプの交換に際し、ユーザ仕様にあったポンプに交換するユーザ仕様交換手段とを設けたことを特徴とする請求項３に記載のポンプ運転支援装置。
【発明の詳細な説明】
【０００１】
【発明の属する技術分野】
本発明は、ポンプの運転支援・制御を実施するポンプ運転支援装置に関する。
【０００２】
【従来の技術】
従来、上下水道設備などに設置されるポンプなどの運転制御は、その時のポンプ井水位と降雨状態とを判断しながら、ポンプの運転台数を増減することが行われている。
【０００３】
また、従来、最適なポンプの選択を行うにあたり、例えばＭ台あるポンプの中からＮ台を選択するとき、Ｍ  ＣＮ  ＝Ｍ！／｛（Ｍ−Ｎ）！｝通りの選択方法があるが、そのうちポンプ井の流入量やユーザ仕様にあったものを選択する方法がとられている。
【０００４】
【発明が解決しようとする課題】
従って、以上のようなポンプの運転制御は、ポンプ井水位に直接左右するポンプ井への流入量を何ら考慮していないので、必ずしも適切なポンプの運転を実施しているとは言えなかった。また、ポンプの運転作業は、時間交代制の作業者に任されているので、以後、任された個々の作業者の判断の下にポンプの運転作業を行うことになり、過去の運転状況を正確に引継ぎながら運転作業および管理を行うことが難しい。
【０００５】
また、従来、最適なポンプの選択にあたり、ポンプ井の流入量やユーザ仕様にあったものを選択する方法であるので、時間のかかる処理を行う必要があり、非常に厄介な作業となっていた。
【０００６】
請求項１ないし請求項３に記載される発明は、ポンプの運転実績データおよびトレンドデータから、迅速、かつ、的確に将来のポンプの稼動・停止支援を推定しポンプ制御を行うポンプ運転支援装置を提供することにある。
請求項４、請求項５に記載される発明は、短時間に最適なポンプの選択を行うポンプ運転支援装置を提供することにある。
【０００７】
【課題を解決するための手段】
上記課題を解決するために、請求項１ないし請求項３に対応する発明は、運転実績データおよびトレンドデータを取り込むデータ取得手段と、このデータ取得手段によって取得される運転実績データおよびトレンドデータから所定時間先の積算値を求めるとともに、当該所定時間よりも短い刻み時刻の時点で前記トレンドデータの１つであるポンプ井水位と基準水位との大小関係からポンプの稼動・停止支援を推定する運転支援手段と、この運転支援手段によってポンプの稼動・停止の支援推定を受けたとき、前記所定時間先の前記トレンドデータであるポンプ井流入量積算値と前記運転実績データである各ポンプの吐出量積算値との大小関係から支援の適否を判断し、支援適正と判断された場合、前記稼動・停止の支援結果のトレンドデータを再算出するトレンドデータ再算出手段と、このトレンドデータ再算出手段によって再算出されるトレンドデータおよび前記稼動・停止の支援結果に基づいてポンプの稼動・停止制御を実施するポンプ制御手段とを設けたポンプ運転支援装置である。
【０００８】
そして、前記運転支援手段は、前記運転実績データである各ポンプの吐出量積算値と前記トレンドデータであるポンプ井流入量積算値を算出する積算値算出手段と、前記トレンドデータであるポンプ井水位と基準水位との大小関係を判断する両水位判断手段と、この両水位判断手段の判断結果から前記ポンプ井水位が基準水位の基準上位を越えるか、または基準下位を下回るとき、支援対象と推定する支援推定判断手段とからなり、
また、当該支援推定判断手段においては、前記ポンプ井水位が基準水位の基準上位を越えたとき、所定時間先のポンプ井流入量積算値と各ポンプの吐出量積算値を算出し、当該流入量積算値が吐出量積算値よりも大きいときポンプ稼動支援と推定する第１の支援推定手段と、前記ポンプ井水位が基準水位の基準下位を下回ったとき、所定時間先のポンプ井流入量積算値と各ポンプの吐出量積算値を算出し、当該流入量積算値が吐出量積算値よりも小さいときポンプ停止支援と推定する第２の支援推定手段とが設けられている。
【０００９】
従って、以上のような手段を講じたことにより、データ取得手段によって取得される運転実績データである各ポンプの吐出量およびトレンドデータであるポンプ井流入量から所定時間先の積算値を求めた後、トレンドデータであるポンプ井水位と基準水位との大小関係を判断する。しかる後、この判断結果からポンプ井水位が基準水位の基準上位を越えたとき、所定時間先のポンプ井流入量積算値と各ポンプの吐出量積算値を算出し、当該流入量積算値が吐出量積算値よりも大きいときポンプ稼動支援と推定し、またポンプ井水位が基準水位の基準下位を下回ったとき、所定時間先のポンプ井流入量積算値と各ポンプの吐出量積算値を算出し、当該流入量積算値が吐出量積算値よりも小さいときポンプ停止支援と推定し、将来のポンプ運転制御に用いるので、迅速、かつ、的確に将来のポンプの稼動・停止支援データを予測することができ、しかも作業者の判断に依存することなく正確にポンプの運転台数制御を実現できる。
【００１０】
また、請求項４、請求項５に対応する発明は、前記第１および第２の支援推定手段として、吐出量の大きい順にポンプを選択する吐出量昇順ポンプ選択手段と、この選択されたポンプを含む稼動中のポンプの吐出量合計値とポンプ井流入量とに基づき、ポンプ井流入量＜吐出量合計量またはポンプ井流入量＞吐出量合計値となるまで対象ポンプの交換を行う最適流量交換手段とを設けるか、或いは吐出量の大きい順にポンプを選択する吐出量昇順ポンプ選択手段と、この選択されたポンプを含む稼動中のポンプの吐出量合計値とポンプ井流入量とに基づき、ポンプ井流入量＜吐出量合計値またはポンプ井流入量＞吐出量合計値となるまで対象ポンプの交換を行う最適流量交換手段と、この最適流量交換手段によるポンプの交換に際し、ユーザ仕様にあったポンプに交換するユーザ仕様交換手段とを設けた構成となっている。
このような手段を講じたことにより、迅速に最適なポンプを選択できるだけでなく、ユーザの仕様にあったポンプを選択できる。
【００１１】
【発明の実施の形態】
以下、本発明の実施の形態について図面を参照して説明する。
図１は、本発明に係わるポンプ運転支援装置の基本構成を示す図である。すなわち、このポンプ運転支援装置は、オペレータが必要な操作指示を入力するキーボード，マウス，タッチスイッチなどのマンマシンインターフェース装置（以下、ＭＭＩ装置と指称する）１と、このＭＭＩ装置１からの指示を受けてプログラムデータに基づいて所定のポンプ運転処理を実行するポンプ運転支援装置本体２と、稼動中のポンプの吐出量などの実績データを記憶する実績データ格納装置３と、ポンプ井水位や流入量などからトレンドデータを作成し記憶するトレンドデータ作成装置４と、処理中データを記憶する処理データ格納装置５と、表示装置６と、ポンプ運転支援装置本体２の出力に基づいてポンプの運転台数を制御するポンプ制御装置７とによって構成されている。
【００１２】
図２は図１に示すポンプ運転支援装置本体２をより具体化した機能ブロック図である。
このポンプ運転支援装置本体２は、運転実績データ、各トレンドデータが時々刻々変化するので、一定時間間隔例えば５分ごとに最新の運転実績データ、各トレンドデータの下にループ処理２１を実施するものであって、具体的には、プラント設備を構成するポンプの起動状況やポンプ井水位、ポンプ井流入量等の各種データを受信する各種データ受信部２２と、この各種データ受信部２２を介して入力される各種データのうち、ポンプの運転実績データである例えば吐出量データなどを取り込んで実績データ格納装置３に格納し、かつ、ポンプ運転支援時に実績データ格納装置３から該当するポンプの運転実績データを取り出して処理中データ格納装置５に一時格納して運転支援処理可能とする実績データ取得部２３と、各種データ受信部２２を介して入力される各種データのうち、ポンプ井水位や流入量などのトレンドデータを取り出してトレンドデータ作成装置４に格納し、かつ、ポンプ運転支援時にトレンドデータ作成装置４から該当するトレンドデータを読み出して処理中データ格納装置５に一時格納し運転支援処理可能とするトレンドデータ読込み部２４と、運転実績データの他、ポンプ井水位、ポンプ井流入量，等の各トレンドデータから将来的なポンプの稼動・停止支援を算出予測し、かつ、支援後の各トレンドデータに変化を予想し、支援時の各トレンドデータを再算出する運転支援部２５と、支援後、運転支援データ、支援時トレンドデータを処理中データ格納装置５に書き込むデータ書込み部２６と、制御データ送信部２７とによって構成されている。
【００１３】
次に、以上のように構成された装置のうち、特にポンプ運転支援装置本体２の中の運転支援部２５の動作について図３を参照して説明する。
図２に示す装置本体２では例えば５分ごとにループ処理２１を実行するが、運転支援部２５では例えば１０秒刻み時間毎にループ処理ＳＴ１を実行する。つまり、１０秒ごとの刻み時間ごとに、トレンドデータ作成装置４によって作成されるトレンドデータである例えばポンプ井の流入量およびポンプ起動状況等から、図４（ａ）に示すように一定時間△ｔ分の流入量積算値を算出し、また各稼働ポンプ（支援分を含む）の吐出量から、図４（ｂ）に示すように一定時間△ｔ分の吐出量積算値（吐出量合計値）を算出する（ＳＴ２）。なお、稼働ポンプの吐出量積算値は、各ポンプのＱ−Ｈ特性によって異なるので、一定時間分の各ポンプごとの吐出量を合計することにより求める。
【００１４】
以上のようにして一定時間△ｔ分後の流入量積算値および吐出量積算値を算出したならば、引き続き、ポンプ井水位と所定の水位幅をもつ基準水位とを比較し、両水位の大小関係を判断する（ＳＴ３）。ポンプ井水位が基準水位の基準上位を越えているとき、または基準水位のの基準下位を下回っているとき、それぞれ流入量積算値と吐出量積算値とを比較し、両値の大小関係を判断する（ＳＴ４，ＳＴ５）。
【００１５】
このステップＳＴ４において流入量積算値＞吐出量積算値の関係にあるとき、ポンプの追加稼動を必要とするので、ポンプ稼動の支援処理を実施する（ＳＴ６）。また、ステップＳＴ５において流入量積算値＜吐出量積算値の関係にあるとき、ポンプ停止の支援処理を実施する（ＳＴ７）。そして、ポンプ稼動支援またはポンプ停止支援を確認した後（ＳＴ８）、再度トレンドデータを算出する（ＳＴ９）。
【００１６】
なお、ポンプ井水位が基準水位内であるか、または支援なしのとき、トレンドデータに変化が起こらないので、トレンドデータの再算出を行う必要がない。つまり、現状通りのポンプ台数でポンプの運転を継続する。
【００１７】
次に、本発明装置におけるポンプの稼動および停止の概念について図５を参照して説明する。なお、同図（ａ）はポンプ井の概略図であって、３１はポンプ井、３２，…はポンプ、３３は幹線流入路である。同図（ｂ）はポンプ稼動・停止の概念を説明する図である。
【００１８】
今、地上に降った雨水等が幹線流入路３３に流入し、幹線流入路３３を通ってポンプ井３１に流れ込む。このポンプ井３１では、ポンプ３２，…によって貯留水が吐出されている。ここで、流入量＞吐出量の関係にあれば、ポンプ井３１の水位が上がり、流入量＜吐出量の関係にあれば、ポンプ井３１の水位が下がる。
【００１９】
そこで、図５（ｂ）のような考えの下にポンプの稼動・停止支援を予測する。つまり、前記図３のステップＳＴ３に示すように、ポンプ井水位が基準上位を越えたとき、ポンプ井３１から水が溢れることからポンプ３２の追加稼動を実施し、ポンプ井３１の水位を下げる。ポンプ井水位が基準下位を下回るとき、ポンプ井３１の水が枯渇してポンプ３２の空運転となるのでポンプ３２の停止を実施し、ポンプ井３１の水位をこれ以上下げないように制御する。ポンプ井水位が基準下位と基準上位との間にあるとき、現状の稼動状況でよく、ポンプ３２の稼動・停止を行わない。
【００２０】
図６はポンプの稼動・停止を行う点およびその稼動・停止の予測判断例を説明する図である。なお、同図（ａ）はポンプ井水位が基準上位を越えようとしたときの例であり、同図（ｂ）はポンプ井水位が基準下位を下回ろうとしたときの例である。
【００２１】
すなわち、同図（ａ）に示すように、ポンプ井水位が基準上位を越えるとき（３１）、刻み時間（時刻）から所定の時間△ｔまでのポンプ井３１の流入量積算値と吐出量積算値とを比較し、大小関係を判断する（図３のステップＳＴ４）。ここで、流入量積算値＜吐出量積算値の関係にあるとき、ポンプ井水位が現時点以上に上昇しないので、支援は行わない（３２）。逆に、流入量積算値＞吐出量積算値の関係にあるとき、ポンプ井水位は現時点以上に上昇するので、支援を実施する（３３）。
【００２２】
一方、同図（ｂ）に示すように、ポンプ井水位が基準下位を下回るとき（３４）、同様に刻み時間（時刻）から所定の時間△ｔまでのポンプ井３１の流入量積算値と吐出量積算値とを比較し、大小関係を判断する（図３のステップＳＴ５）。ここで、流入量積算値＞吐出量積算値の関係にあるとき、ポンプ井水位が現時点以下に下降しないので、支援は行わない（３５）。逆に、流入量積算値＜吐出量積算値の関係にあるとき、ポンプ井水位は現時点以下に下降するので、支援を実施する（３６）。
【００２３】
図７はポンプ稼動の判断例とトレンドデータの再算出例を説明する図である。図７（ａ）の４１に示すように、現在稼動中のポンプがＮＯ．２とＮＯ．５であるとし、またポンプ井水位が基準上位にまるまで支援を行わない。今、ポンプ井水位が、図示４２に示すように時点ｔ１にて基準上位を越えるものとする。そこで、刻み時刻である時点ｔ１から所定時間△ｔまでのポンプ井の流入量積算値と吐出量積算値とを比較すると、図示４３の（イ）に示すように流入量積算値＜吐出量積算値の関係になるので、支援を行わず、トレンドデータの再算出も行わない。
【００２４】
しかし、ポンプ井水位が時点ｔ２にて再度基準上位を越えるものとする。そこで、刻み時刻である時点ｔ２から所定時間△ｔまでのポンプ井の流入量積算値と吐出量積算値とを比較すると、図示（ロ）に示すように流入量積算値＞吐出量積算値の関係になるので、流入量積算値＜吐出量積算値の関係になるような最適なポンプＮＯ．８を稼動支援する（４４）。
【００２５】
この稼動支援を行った後、図示４５に示すように各トレンドデータに変化が起こる。そこで、図３のステップＳＴ９に示すように、トレンドデータの再算出を行うことにより、図示４６に示すような結果が得られる。
【００２６】
従って、以上のように構成された実施の形態によれば、ポンプの運転実績データおよびトレンドデータから所定時間先の積算値を求めた後、所定時間先のポンプの稼動・停止支援を算出し、この支援結果に基づいてトレンドデータを再算出するので、迅速、かつ、適切にポンプの稼動・停止を予測できる。また、運転支援の算出に際し、運転実績データである各ポンプの吐出量積算値とトレンドデータであるポンプ井流入量積算値を算出するとともに、前記トレンドデータであるポンプ井水位と基準水位との大小関係を判断し、ポンプ井水位が基準水位の基準上位を越えたとき、所定時間先の流入量積算値が吐出量積算値よりも大きいときポンプ稼動支援と推定し、ポンプ井水位が基準水位の基準下位を下回ったとき、所定時間先の流入量積算値が吐出量積算値よりも小さいときポンプ停止支援と推定するので、実情に沿った支援を正確に算出できる。
【００２７】
このことは、作業者自身の判断を必要とせずに自動的にポンプの運転制御を実施でき、交代作業者が過去の運転状況を正確に引継ぎながら運転作業および管理を行うことができる。
【００２８】
さらに、図８は運転支援部２５の処理のうち、特に図３に示すステップＳＴ６，ＳＴ７のポンプ稼動支援処理およびポンプ停止支援処理時のポンプ選択処理を示す機能ブロック図である。図８（ａ）はポンプの追加稼動支援を行うときのポンプの選択処理例を示す図であり、同図（ｂ）はポンプの停止支援を行うときのポンプの選択処理例を示す図である。
【００２９】
図８（ａ）に示すポンプの追加稼動支援時のポンプ選択処理は、稼動中および追加選択ポンプの吐出量の合計値とポンプ井流入量とを比較し、流入量＜吐出量となるまでポンプ選択を行うループ処理６１を実行するものである。具体的には、停止または稼動選択されていないポンプのうち、最大吐出量のポンプを選択し、現在稼動中および当該選択されたポンプの吐出量の合計値とポンプ井流入量とを比較し、流入量＜吐出量となるか否かを判断する吐出量昇順ポンプ選択手段６２と、この選択手段６２によって流入量＜吐出量となるが吐出量が流入量に比べて極端に大きいときに不経済であり、また１台のポンプでは流入量＜吐出量とならないとき、或いは他の条件成立を予定しているとき、最適流量となるようにポンプの対象を交換する最適流量交換手段６３と、この交換手段６３によってポンプ対象を交換するに際し、ユーザ仕様にあったポンプに交換するユーザ仕様交換手段６４と、最終的に支援対象となるポンプを決定する支援決定手段６５とにより、追加ポンプを選択するものである。
【００３０】
図８（ｂ）に示すポンプ停止支援時のポンプ選択処理は、稼動中から停止選択されたものを除いたポンプの吐出量の合計値とポンプ井流入量とを比較し、流入量＞吐出量となるまでポンプ選択を行うループ処理７１を実行するものである。具体的には、停止ポンプの対象として稼動中または稼動選択されていないポンプのうち、最大吐出量のポンプを選択する。そして、この停止対象ポンプを除いた稼働中または稼働選択されたポンプの吐出量の合計値とポンプ井流入量とを比較し、流入量＞吐出量となるか否かを判断する吐出量昇順ポンプ選択手段７２と、最適流量となるようにポンプの対象を交換する最適流量交換手段７３と、この交換手段７３によってポンプ対象を交換するに際し、ユーザ仕様にあったポンプに交換するユーザ仕様交換手段７４と、最終的に支援対象となるポンプを決定する支援決定手段７５とにより、停止ポンプを選択するものである。
【００３１】
図９は、最適流量交換手段６３の具体的な処理例を説明する図である。なお、ユーザ仕様交換手段６４、最適流量交換手段７３およびユーザ仕様交換手段７４も図９と同様な処理例で処理するので、ここでは省略する。
【００３２】
この最適流量交換手段６３による処理例は、被交換対象がなくなるまでループ処理６３１を実施するものであって、具体的には、吐出量昇順ポンプ選択手段６２で選択されたポンプのうち最大吐出量のポンプＢを選択する被交換ポンプ選択機能６３２と、選択されなかったポンプのうち最小吐出量のポンプＡを選択する交換ポンプ選択機能６３３と、これら最大吐出量のポンプと最小吐出量のポンプとを交換したときの吐出量を算出する交換後吐出量算出機能６３４と、この算出された吐出量とポンプ井流入量との大小関係を比較する比較判断機能６３５と、この比較結果、吐出量＜流入量の関係にあるときには交換不可と判断し、ポンプＡは交換対象でなくなり、固定状態とする被交換固定処理機能６３６と、吐出量＞流入量の関係にあるときポンプＡとＢとを交換する交換処理機能６３７とからなっている。
【００３３】
次に、ポンプ運転支援前の状況からいかなる稼動支援を行うかについて説明する。
図１０（ａ）に示すように、ポンプ井水位が上昇し、同図（ｂ）のようにポンプ井流入量が吐出量合計を越える場合、ポンプ運転の稼動支援を行う必要がある。先ず、停止中のポンプのうち、吐出量の大きい順に流入量を越えるまで稼動対象の選択を行う。この場合、同図（ｃ）に示すごとく、ＮＯ．１、ＮＯ．３、ＮＯ．４のポンプを選択するとすれば、流入量１０．０ｍ３  ／ｓに対し、吐出量合計が１１．６ｍ３  ／ｓとなる。このままでは、吐出量合計が流入量よりも大きすぎるので、最適な支援である言えない。
【００３４】
そこで、稼動対象のポンプの変更を行う必要がある。先ず、図１１（ａ）に示すように、稼動対象のポンプのうち、吐出量の大きいポンプＮＯ．１が停止中のポンプと交換可能か否かを調べる。停止中のポンプの吐出量が１．０〜２．０
ｍ３  ／ｓであるので、ポンプＮＯ．１と交換を行ったとしても、吐出量合計が８．５〜９．６ｍ３  ／ｓとなり、流入量を越えない。よって、ポンプＮ０．１の交換対象となるものはない。
【００３５】
次に、図１１（ｂ）のように稼動対象ポンプのうち吐出量の大きいＮＯ．３の交換対象を調べる。停止中のポンプのうち、ポンプＮＯ．６と交換を行うと、吐出量合計が１０．５ｍ３  ／ｓとなり、流入量に最も近い値となる。よって、ＮＯ．３とＮＯ．６の稼動対象の交換を行う（同図ｃ）。このようにして流入量＜吐出量（流入量に最も近い値）を満たしたポンプの稼動選択が可能となる。
【００３６】
次に、図１２に示すように、ユーザ仕様にあったポンプ運転の稼動対象の変更を行う。一例として、例えばポンプがあるグループごとに分けられており、同じグループ内でポンプの運転回数の平均化を行うことをユーザ仕様としている場合について説明する。
【００３７】
先ず、ポンプＮＯ．１から調べると、当該ＮＯ．１はグループａであり、停止しているポンプがないので、変更は行われない。次に、ポンプＮＯ．４を調べる。このポンプＮＯ．４はグループｂであり、同図（ｂ）に示すように、停止しているポンプＮＯ．５がある。そこで、ＮＯ．４とＮＯ．５とを見ると、稼動回数がＮＯ．４＞ＮＯ．５となっているので、変更の対象となる。よって、ＮＯ．４とＮＯ．５とを交換する。交換後の吐出量合計と流入量とを比較すると、吐出量合計１０．５＞１０．０となり、交換可能であることが分かる。このようにしてユーザ仕様にあったポンプの選択を行う（同図ｃ）。
なお、ポンプの停止選択も同様の要領で行うものである。
【００３８】
【発明の効果】
請求項１の発明によれば、ポンプの運転実績データおよびトレンドデータから、迅速、かつ的確に将来のポンプ稼動・停止の支援を推定できる。
【００３９】
請求項２，３の発明によれば、ポンプの稼動・停止を支援を正確に推定できる。
請求項４の発明によれば、ポンプの吐出量を考慮しつつ短時間に最適流量となるポンプを選択できる。
請求項５の発明によれば、ポンプの吐出量およびユーザ仕様を考慮しつつ短時間に最適流量となるポンプを選択できる。
【図面の簡単な説明】
【図１】本発明に係わるポンプ運転支援装置を示す基本構成図。
【図２】図１に示すポンプ運転支援装置本体を具体化した機能ブロック図。
【図３】図２に示す運転支援部の動作を説明する図。
【図４】一定時間の流入量積算値と吐出量積算値を求めるための説明図。
【図５】ポンプの稼動・停止の概念説明図。
【図６】ポンプの稼動・停止の判断例を説明する図。
【図７】トレンドデータの再算出例を説明する図。
【図８】図３に示すポンプ稼動支援処理および停止支援処理を説明する図。
【図９】図８の最適流量交換手段の機能構成図。
【図１０】ポンプ井水位の上昇時におけるポンプ運転の稼動支援の状況を説明する図。
【図１１】各ポンプの吐出量から最適なポンプの選択例を説明する図。
【図１２】ユーザ仕様にあった最適なポンプの選択例を説明する図。
【符号の説明】
２…ポンプ運転支援装置本体
３…実績データ格納装置
４…トレンドデータ作成装置
７…ポンプ制御装置
２３…実績データ取得部
２４…トレンドデータ読込み部
２５…運転支援部
【図１】
0003571857.tif 000002
【図２】
0003571857.tif 000003
【図３】
0003571857.tif 000004
【図４】
0003571857.tif 000005
【図５】
0003571857.tif 000006
【図６】
0003571857.tif 000007
【図７】
0003571857.tif 000008
【図８】
0003571857.tif 000009
【図９】
0003571857.tif 000010
【図１０】
0003571857.tif 000011
【図１１】
0003571857.tif 000012
【図１２】
0003571857.tif 000013